(57)【要約】      （修正有）【課題】リュックサックの背面が湿気ることが無く、リュックサックを背負った際に、人間工学に基づいて軽く感じられるリュックサック用の背当てを提供する。【解決手段】リュックサック用の背当て１０は、リュックサックの背面を覆うように、着脱自在に取り付けられ、弾性変形する弾性フレーム部材１２と、弾性フレーム部材１２の全周に縫い付けられ、通気性を有すると共に全方向に伸び可能なメッシュ部材１８と、弾性フレーム部材１２の上下両端に縫い付けられ、メッシュ部材１８の中央部をリュックサックの背面から離間する方向に弾性変形させる縦連結ベルト２０と、弾性フレーム部材１２の左右両端に、この左右両端の距離を減じるように縫い付けられ、メッシュ部材１８の中央部をリュックサックの背面に近接する方向に弾性変形させる横連結ベルト２２と、弾性フレーム部材１２とリュックサックの背面を着脱自在に連結する連結具２４Ａ；２４Ｂ：２６Ａ；２６Ｂとを具備する。【選択図】図１
0003227673.tif 000002
【実用新案登録請求の範囲】
【請求項１】
リュックサックの背面に、これを覆うように、着脱自在に取り付けられるリュックサック用の背当てにおいて、
外力が作用しない状態で、丸みのある閉道形状を呈し、外力が作用することにより弾性変形する弾性フレーム部材と、
外力が作用しない状態でピンと張るように、該弾性フレーム部材の全周に縫い付けられ、通気性を有すると共に全方向に伸び可能なメッシュ部材と、
前記弾性フレーム部材の上下両端に、この上下両端の距離を減じるように縫い付けられ、前記メッシュ部材の中央部が前記リュックサックの背面から離間する方向に膨出するように、該弾性フレーム部材を弾性変形させる縦連結ベルトと、
前記弾性フレーム部材の左右両端に、この左右両端の距離を減じるように縫い付けられ、前記メッシュ部材の中央部が前記リュックサックの背面に近接する方向に凹むように、該弾性フレーム部材を弾性変形させる横連結ベルトと、
前記弾性フレーム部材の上部及び下部を、前記リュックサックの背面の上部及び下部に夫々着脱自在に連結する連結具と、
を具備することを特徴とするリュックサック用の背当て。
【請求項２】
前記横連結ベルトは、前記縦連結ベルトの伸び率よりも高い伸び率を有し、該縦連結ベルトの前記リュックサック側の面に係合して、該縦連結ベルトとの交差部を前記メッシュ部材側に弾性的に偏倚させることを特徴とする請求項１に記載のリュックサック用の背当て。
【請求項３】
前記縦連結ベルトには、電池駆動の小型電動ファンを着脱自在に固定するための取付ベルトが取り付けられ、
前記小型電動ファンが前記取付ベルトを介して前記縦連結ベルトに取り付けられた状態で、前記リュックサックの背面と前記メッシュ部材との間に形成される空間は、該小型電動ファンにより強制的に換気されることを特徴とする請求項２に記載のリュックサック用の背当て。
【請求項４】
前記連結具は、前記弾性フレーム部材の上部及び下部に縫い付けられた左右一対の短い取付布と、各短い取付布に固着されたスナップボタン又はホックの一方の留め具とを備え、
この一方の留め具は、前記リュックサックの背面の上部及び下部に左右一対取り付けられた該スナップボタン又はホックの他方の留め具に弾性的に夫々係合することにより、該リュックサックに着脱自在に取り付けられることを特徴とする請求項１に記載のリュックサック用の背当て。
【請求項５】
前記連結具は、前記弾性フレーム部材の上部及び下部に縫い付けられた長い取付布と、各長い取付布に十分な間隔を置いて固着されたスナップボタン又はホックの一方及び他方の留め具とを備え、
各長い取付布は、前記リュックサックの背面の上部及び下部に取り付けられた左右一対のリング状の留め輪をくぐらされて、一方及び他方の留め具を互いに弾性的に係合することにより、該リュックサックに着脱自在に取り付けられることを特徴とする請求項１に記載のリュックサック用の背当て。
【考案の詳細な説明】
【技術分野】
【０００１】  この考案は、リュックサックの背面に、これを覆うように、着脱自在に取り付けられるリュックサックようの背当てに関する。
【背景技術】
【０００２】  従来において、リュックの背面に、これを覆うように、着脱自在に取り付けられる背当ては種々提案され、実用に供されているが、その一例として、特許文献１に示す実用新案登録第３０６８０８９号公報が知られている。
【先行技術文献】
【特許文献】
【０００３】
【特許文献１】実用新案登録第３０６８０８９号公報
【０００４】  この特許文献１に開示されたリュックサック用背当ては、長い間リュックサックを背負った場合でも背中の蒸れを防止することができると共に、リュックサックに収容した内容物が背中に当たらないようにクッション材の役目を果たすことが可能なリュックサック用背当てを提供することを目的としており、解決手段として、図８に示すように、複数本の柔軟弾性を有する中空パイプ１を水平又は垂直方向に揃えて配列せしめてなる構造となっている。
【考案の概要】
【考案が解決しようとする課題】
【０００５】  しかしながら、特許文献１に示されるリュックサック用背当てにおいては、その人間の背中に当たる表面は、確かに複数本の中空パイプが配列されているので、夫々の表面は柔軟性を発揮できるものの、人間の背中に密着するに近い状態となり、人間の背中から出る汗が逃げる空間が狭く、どうしても湿気やすい問題が指摘され、解決が要望されていた。【０００６】  また、これら複数本の中空パイプの包括的な表面形状は、図示される通り、「平面」であって、仮にこれが人間の背中に当たる場合には、人間の背中の複雑な表面形状に追従できず、当たる部分や当たらない部分が生じることになる。この結果、人間の背中に却って負担を強いる状況が出てしまい、却ってリュックサックを背負ったときに重く感じられる問題点が指摘され、改善が要望されていた。【０００７】  この考案は、上記事情に鑑みなされたもので、リュックサックを人間の背中から間に広い空間を置いて離間した状態で背負うことが出来、リュックサックの背面が人間の背中の汗で湿気ることが無いようにすることのできるリュックサック用の背当てを提供する事を目的とする。【０００８】  また、この考案は、リュックサックを背負った際に、人間工学に基づいて背負った時に軽く感じられるようしたリュックサック用の背当てを提供することを他の目的とする。
【課題を解決するための手段】
【０００９】  上記目的を達成するため、この考案に係わるリュックサック用の背当ては、請求項１の記載によれば、リュックサックの背面に、これを覆うように、着脱自在に取り付けられるリュックサック用の背当てにおいて、外力が作用しない状態で、丸みのある閉道形状を呈し、外力が作用することにより弾性変形する弾性フレーム部材と、外力が作用しない状態でピンと張るように、該弾性フレーム部材の全周に縫い付けられ、通気性を有すると共に全方向に伸び可能なメッシュ部材と、前記弾性フレーム部材の上下両端に、この上下両端の距離を減じるように縫い付けられ、前記メッシュ部材の中央部が前記リュックサックの背面から離間する方向に膨出するように、該弾性フレーム部材を弾性変形させる縦連結ベルトと、前記弾性フレーム部材の左右両端に、この左右両端の距離を減じるように縫い付けられ、前記メッシュ部材の中央部が前記リュックサックの背面に近接する方向に凹むように、該弾性フレーム部材を弾性変形させる横連結ベルトと、前記弾性フレーム部材の上部及び下部を、前記リュックサックの背面の上部及び下部に夫々着脱自在に連結する連結具とを具備することを特徴としている。【００１０】  また、この考案に係わるリュックサック用の背当ては、請求項２の記載によれば、前記横連結ベルトは、前記縦連結ベルトの伸び率よりも高い伸び率を有し、該縦連結ベルトの前記リュックサック側の面に係合して、該縦連結ベルトとの交差部を前記メッシュ部材側に弾性的に偏倚させることを特徴としている。【００１１】  また、この考案に係わるリュックサック用の背当ては、請求項３の記載によれば、前記縦連結ベルトには、電池駆動の小型電動ファンを着脱自在に固定するための取付ベルトが取り付けられ、
前記小型電動ファンが前記取付ベルトを介して前記縦連結ベルトに取り付けられた状態で、前記リュックサックの背面と前記メッシュ部材との間に形成される空間は、該小型電動ファンにより強制的に換気されることを特徴としている。【００１２】  また、この考案に係わるリュックサック用の背当ては、請求項４の記載によれば、前記連結具は、前記弾性フレーム部材の上部及び下部に縫い付けられた左右一対の短い取付布と、各短い取付布に固着されたスナップボタン又はホックの一方の留め具とを備え、この一方の留め具は、前記リュックサックの背面の上部及び下部に左右一対取り付けられた該スナップボタン又はホックの他方の留め具に弾性的に夫々係合することにより、該リュックサックに着脱自在に取り付けられることを特徴としている。【００１３】  また、この考案に係わるリュックサック用の背当ては、請求項５の記載によれば、前記連結具は、前記弾性フレーム部材の上部及び下部に縫い付けられた左右一対の長い取付布と、各長い取付布に十分な間隔を置いて固着されたスナップボタン又はホックの一方及び他方の留め具とを備え、各長い取付布は、リュックサックの背面の上部及び下部に取り付けられた左右一対のリング状の留め輪をくぐらされて、一方及び他方の留め具を互いに弾性的に係合することにより、該リュックサックに着脱自在に取り付けられることを特徴としている。
【考案の効果】
【００１４】  上述したように、請求項１に記載のリュックサック用の背当てによれば、人間の背中に接触する面を、通気性のあるメッシュ部材から構成されるようにし、且つ、このメッシュ部材が張られた弾性フレーム部材を、その上下両端を縦連結ベルトで連結して両者の間の距離を減じるようにして、メッシュ部材の中央部分をリュックサックの背面から離間する方向に膨出させ、また、その左右両端を横連結ベルトで連結して両者の間の距離を減じるようにして、メッシュ部材の中央部分をリュックサックの背面に近接する方向に凹むように、弾性変形させているので、リュックサックの背面及びメッシュ部材の間の空間を大きく確保することが出来、この大きな空間の換気が容易になされるようにして、人間の背中からの汗による湿気を、確実に取り除くことができる特有の効果を奏することが出来ることになる。また、縦連結ベルトと横連結ベルトとを組み合わせることにより、弾性変形された弾性フレーム部材に張られたメッシュ部材の表面形状が、人間工学に基づいて背負った時に軽く感じられるようなり、その使い勝手が格段と向上する特有の効果も達成することができることになる。【００１５】  また、請求項２に記載のリュックサック用の背当てによれば、横連結ベルトは、縦連結ベルトの伸び率よりも高い伸び率を有し、この縦連結ベルトのリュックサック側の面に係合して、この縦連結ベルトとの交差部をメッシュ部材側に弾性的に偏倚させる構成を採用しているので、縦連結ベルト及び横連結ベルトが連結されて弾性変形された弾性フレーム部材に張られたメッシュ部材の表面形状が、人間工学に基づいて背負った時に軽く感じられる特有の形状を呈することが確実に達成されることになる。【００１６】  また、請求項３に記載のリュックサック用の背当てによれば、縦連結ベルトに取付ベルトを介して電池駆動の小型電動ファンを取り付けることが出来、この小型電動ファンを駆動することにより、リュックサックの背面と前記メッシュ部材との間に形成される空間が強制的に換気されることとなり、この空間に湿気が滞留することが確実に防止されることになる。【００１７】  また、請求項４に記載のリュックサック用の背当てによれば、弾性フレーム部材上部及び下部に縫い付けられた左右一対の短い取付布に固着されたスナップボタン又はホックの一方の留め具を、リュックサックの背面の上部及び下部に左右一対取り付けられた該スナップボタン又はホックの他方の留め具に弾性的に夫々係合することにより、この背当てをリュックサックに着脱自在に取り付けることが確実にできることになる。【００１８】  また、請求項５に記載のリュックサック用の背当てによれば、弾性フレーム部材の上部及び下部に縫い付けられた左右一対の長い取付布を、リュックサックの背面の上部及び下部に取り付けられた左右一対のリング状の留め輪に各々くぐらして、各長い取付布に十分な間隔を置いて固着されたスナップボタン又はホックの一方及び他方の留め具とを、互いに弾性的に係合することにより、この背当てをリュックサックに着脱自在に取り付けることが確実にできることになる。
【図面の簡単な説明】
【００１９】
【図１】  この考案に係わるリュックサック用の背当ての好ましい実施形態を示す正面図である。
【図２】  図１に示すリュックサック用の背当ての構造を示す背面図である。
【図３】  図１に示すリュックサック用の背当ての構造を示す右側面図である。
【図４】  図１に示すリュックサック用の背当ての構造を示す底面図である。
【図５】  図１に示すリュックサック用の背当てをリュックサックの背面に取り付けた状態を説明するための右側面図である。
【図６】  図１に示すリュックサック用の背当てに電池駆動の小型電動ファンを取り付けた状態で示す右側面図である。
【図７】  図１に示すリュックサック用の背当てに備えられた取付布の異なる態様を示す正面図である。
【図８】  特許文献１の実用新案登録第３０６８０８９号公報に記載された図１を取り出して示す斜視図である。
【考案を実施するための形態】
【００２０】  以下、この考案に係わるリュックサック用の背当ての好ましい実施形態を図１乃至図６を参照して詳細に説明する。
【００２１】  図１乃至図３において、符号１０はこの実施形態が適用される背当てを示している。この背当て１０は、リュックサックの背面ＢＳ（図５に示す。）に、これを略全面的に覆うように、着脱自在に取り付けられるものである。また、この背当て１０は、外力が作用しない状態で、丸みのある閉道（ループ）形状、例えば、円形状や楕円形状や丸みのある四角形状等を呈し、外力が作用することにより弾性変形する弾性フレーム部材１２を備えている。この弾性フレーム部材１２は、詳細は図示していないが、高い弾性を有し、外力が作用しない状態で閉道形状を呈すると共に、細い針金状の芯材（図示せず）と、この芯材をこれの延出方向に沿って、即ち、全周に渡り、二つ折り形状で内部に包みこむ布材１４とから構成され、二つ折りにされた布材１４の両縁は、図１に破線で示すように、互いに縫い糸１６により全周に渡り縫い付けられている。
【００２２】  この弾性フレーム部材１２には、外力が作用しない状態でピンと張られるように、メッシュ部材１８が、弾性フレーム部材１２の全周に渡り、上述した縫い糸１６により布材１４に縫い付けられている。このメッシュ部材１８は、通気性を有すると共に全方向に伸び可能な多孔質の合成樹脂製のメッシュ素材から形成されている。換言すれば、このメッシュ部材１８は、通気性・通湿性が担保される状態で、このリュックサックを背負う人間の背中に接触するので、この背中から発散した汗による湿気を確実に通過させて、背中が汗によりびしょ濡れとなることを防止することができるものである。
【００２３】  一方、弾性フレーム部材１２の上下両端には、図２にも示すように、この上下両端の距離を減じるように互いに引き付けつつ連結する縦連結ベルト２０が縫い付けられている。この縦連結ベルト２０は、図３に示すように、メッシュ部材１８の中央部がリュックサックの背面ＢＳから離間する方向に膨出するように、弾性フレーム部材１２を弾性変形させている。尚、この縦連結ベルト２０は、後述する横連結ベルト２２との相対関係において、低い弾性、即ち、小さい伸び率を有するゴムバンド（換言すれば、硬めのゴムバンド）から構成されている。
【００２４】  また、弾性フレーム部材１２の左右両端には、この左右両端の距離を減じるように互いに引き付けつつ連結する横連結ベルト２２が縫い付けられている。この横連結ベルト２２は、図４に示すように、メッシュ部材１８の中央部がリュックサックの背面に近接する方向に僅かとはいえ凹むように、弾性フレーム部材１２を弾性変形させている。尚、この横連結ベルト２２は、上述した縦連結ベルト２０との相対関係において、高い弾性、即ち、大きい伸び率を有するゴムバンド（換言すれば、柔らか目のゴムバンド）から構成されている。
【００２５】  このように、この背当て１０においては、縦連結ベルト２０及び横連結ベルト２２を介して、弾性フレーム部材１２を弾性的に変形させ、この弾性フレーム部材１２の弾性変形に応じて、これに張り付けられたメッシュ部材１８の表面形状が三次元的に変形し、人間工学に基づいて背負った時に軽く感じられる特有の形状を呈することができるものである。
【００２６】  更に、弾性フレーム部材１２の上部及び下部の夫々の左右には、弾性フレーム部材１２をリュックサックの背面ＢＳの上部及び下部の夫々の左右に着脱自在に連結する連結具２４Ａ；２４Ｂ：２６Ａ；２６Ｂが各々取り付けられている。ここで、各連結具２４Ａ；２４Ｂ：２６Ａ；２６Ｂは、この実施形態においては、弾性フレーム部材１２の布材１４に縫い糸１６で縫い付けられた１枚の伸びのない布片からなる取付布２４Ａ１；２４Ｂ１：２６Ａ１；２６Ｂ１と、各取付布２４Ａ１；２４Ｂ１：２６Ａ１；２６Ｂ１に固着されたスナップボタン（又はホック）の一方の留め具２４Ａ２；２４Ｂ２：２６Ａ２；２６Ｂ２とを備えて構成されている。
【００２７】  ここで、スナップボタン（又はホック）は、周知の構成であるので詳細は図示していないが、一方の留め具とこれに弾性的に係合する他方の留め具とから構成されており、両者が弾性的に係合することにより、背当て１０はリュックサックの背面ＢＳに着脱自在に取り付けられることになる。尚、この実施態様においては、一方の留め具２４Ａ２；２４Ｂ２：２６Ａ２；２６Ｂ２は、各々、取付布２４Ａ１；２４Ｂ１：２６Ａ１；２６Ｂ１の一方の面に多数の針部が差し込まれて係止される頭と、布片の他方の面の頭に対応した部位に取り付けられ、頭の多数の針部を一挙に折り曲げることにより布地に固着されるばねとを備えて構成されている。
【００２８】  尚、他方の留め具は、この実施態様では背当て１０を構成するものではないので、図示していないが、リュックサックの背面ＢＳの上部及び下部の夫々の左右の各々に取り付けられた布片に固着されているものであり、各々、布片の一方の面に多数の針部が差し込まれて係止されるホソと、布片の他方の面のホソに対応した部位に取り付けられ、ホソの多数の針部を一挙に折り曲げることにより布地に固着されるゲンコとを備えて構成されている。
【００２９】  また、縦連結ベルト２０には、手持ちタイプの電池駆動の小型電動ファンＥＦ（図６に示す。）を着脱自在に固定するための取付ベルト２８Ａ，２８Ｂが、長手方向に沿って互いに離間した状態で取り付けられている。各取付ベルト２８Ａ，２８Ｂは、高い伸び性のある幅広のゴムバンドから構成されており、この高い伸び性を利用して、小型電動ファンＥＦの電池収納部を縦連結ベルト２０にしっかりと固定することができるように設定されている。そして、この実施態様においては、このように小型電動ファンＥＦが取付ベルト２８Ａ，２８Ｂを介して縦連結ベルト２０に取り付けられた状態で、リュックサックの背面ＢＳとメッシュ部材１８との間に形成される空間は、この小型電動ファンＥＦの駆動により強制的に換気される効果が達成されることになる。
【００３０】  以上のように構成される背当て１０を、リュックサックの背面ＢＳに４つの連結具２４Ａ；２４Ｂ：２６Ａ；２６Ｂを介して取り付けることにより、この背当て１０が取り付けられたリュックサックを人が背負うことにより、人の背中とリュックサックの背面ＢＳとの間に、背当て１０が介在することとなる。そして、この状態で、背当て１０のメッシュ部材１８が人の背中に接することになるが、このメッシュ部材１８が張られた弾性フレーム部材１２を、その上下両端を縦連結ベルト２０で連結して両者の間の距離を減じるようにして、メッシュ部材の中央部分をリュックサックの背面から離間する方向に膨出させ、また、その左右両端を横連結ベルト２２で連結して両者の間の距離を減じるようにして、メッシュ部材の中央部分をリュックサックの背面に近接する方向に凹むように、弾性変形させているので、リュックサックの背面ＢＳ及びメッシュ部材１８の間の空間を大きく確保することが出来ることになる。この結果、人の背中とリュックサックの背面ＢＳとの間に確保された大きな空間において、その換気が容易になされるようになり、人の背中からの汗による湿気を、確実に取り除くことができる特有の効果を奏することが出来ることになる。
【００３１】  またに、縦連結ベルト２０と横連結ベルト２２とを組み合わせることにより、弾性変形された弾性フレーム部材１２に張られたメッシュ部材１８の表面形状が、人間工学に基づいて背負った時に軽く感じられるようなり、その使い勝手が格段と向上する特有の効果も達成することができることになる。
【００３２】  上述したこの考案の一実施態様に係わる背当て１０は、上述した構成に限定されることなく、この考案の趣旨を逸脱しない範囲で種々変形可能であることは言うまでもない。
【００３３】  例えば、上述した実施態様においては、連結具２４Ａ；２４Ｂ：２６Ａ；２６Ｂは、各々の取付布２４Ａ１；２４Ｂ１：２６Ａ１；２６Ｂ１を短く設定し、各々に一方の留め具２４Ａ２；２４Ｂ２：２６Ａ２；２６Ｂ２を固着するように説明したが、この考案は、このような構成に限定されることなく、図７に他の実施態様の背当て１０´として示すように、連結具２４Ａ；２４Ｂ：２６Ａ；２６Ｂの各取付布２４Ａ１；２４Ｂ１：２６Ａ１；２６Ｂ１を長く設定し、各取付布２４Ａ１；２４Ｂ１：２６Ａ１；２６Ｂ１に、互いに間隔を置いて離間した状態で、一方の留め具２４Ａ２；２４Ｂ２：２６Ａ２；２６Ｂ２及び他方の留め具２４Ａ３；２４Ｂ３：２６Ａ３；２６Ｂ３を固着するように構成しても良いものである。
【００３４】  尚、図７に示す実施態様においては、各取付布２４Ａ１；２４Ｂ１：２６Ａ１；２６Ｂ１の中間部が、端正フレーム部材１２の布材１４に縫い糸１６を介して縫い付けられるように設定されており、このような縫い付けにより、図７に示す通り、一見すると２本の取付布（一方の取付布部分と他方の取付布部分）が縫い付けられているように見えるが、これは、１本の長い取付布２４Ａ１；２４Ｂ１：２６Ａ１；２６Ｂ１をその中間部を布材１４に縫い付けられた結果としての形態である。そして、一方の留め具２４Ａ２；２４Ｂ２：２６Ａ２；２６Ｂ２は、一方の取付布部分の一方の面に多数の針部が差し込まれて係止される頭と、布片の他方の面の頭に対応した部位に取り付けられ、頭の多数の針部を一挙に折り曲げることにより取付布に固着されるばねとを備えて構成され、他方の留め具２４Ａ３；２４Ｂ３：２６Ａ３；２６Ｂ３は、他方の取付布部分の一方の面に多数の針部が差し込まれて係止されるホソと、布片の他方の面のホソに対応した部位に取り付けられ、ホソの多数の針部を一挙に折り曲げることにより布地に固着されるゲンコとを備えて構成されている。
【００３５】  そして、各長い取付布２４Ａ１；２４Ｂ１：２６Ａ１；２６Ｂ１は、リュックサックの背面ＢＳの上部及び下部に取り付けられた左右一対のリング状の留め輪をくぐらされて、一方及び他方の留め具２４Ａ２；２４Ｂ２：２６Ａ２；２６Ｂ２／２４Ａ３；２４Ｂ３：２６Ａ３；２６Ｂ３を互いに弾性的に係合することにより、背当て１０´は、リュックサックに着脱自在に取り付けられるものである。
【産業上の利用可能性】
【００３６】  以上詳述したように、この考案に係わるリュックサック用の背当ては、リュックサックを人間の背中から間に広い空間を置いて離間した状態で背負うことが出来、リュックサックの背面が人間の背中の汗で湿気ることが無いようにすることのできるものであり、その効果は絶大である。【００３７】  また、この考案に係わるリュックサック用の背当ては、リュックサックを背負った際に、人間工学に基づいて背負った時に軽く感じられるようになり、リュックサックの使用者に対する貢献は大いなるものである。
【符号の説明】
【００３８】１０（１０´）    背当て
１２    弾性フレーム部材
１４    布材
１６    縫い糸
１８    メッシュ部材
２０    縦連結ベルト
２２    横連結ベルト
２４Ａ；２４Ｂ：２６Ａ；２６Ｂ    連結具
２４Ａ１；２４Ｂ１：２６Ａ１；２６Ｂ１    取付布
２４Ａ２；２４Ｂ２：２６Ａ２；２６Ｂ２    一方の留め具
２４Ａ３；２４Ｂ３：２６Ａ３；２６Ｂ３    他方の留め具
２８Ａ：２８Ｂ    取付ベルト
ＢＳ    リュックサックの背面
ＥＦ    小型電動ファン
【図１】
0003227673.tif 000003
【図２】
0003227673.tif 000004
【図３】
0003227673.tif 000005
【図４】
0003227673.tif 000006
【図５】
0003227673.tif 000007
【図６】
0003227673.tif 000008
【図７】
0003227673.tif 000009
【図８】
0003227673.tif 000010